(57)【要約】【課題】  経時に伴い耐久性等の理由によりシャッタ精度が低下した場合に、シャッタを高速秒時で駆動すると、シャッタ精度を正確に測定することができないことがあった。【解決手段】  先幕と後幕とを有するフォーカルプレンシャッタ装置の制御方法であって、前記先幕と前記後幕の走行状態を測定し（Ｓ４１〜Ｓ４６）、前記測定の結果が正常であるかどうかを判断し（Ｓ４２、Ｓ４５、Ｓ５０）、正常と判断されず、且つ、前記先幕の走行を開始してから前記後幕の走行を開始するまでのシャッタ秒時が予め設定されたシャッタ秒時よりも高速である場合に（Ｓ２２）、前記シャッタ秒時をより低速なシャッタ秒時に変更して（Ｓ５３）、前記先幕と前記後幕の走行状態の測定を繰り返す。【選択図】  図２
2008170473.tif 000002
【特許請求の範囲】
【請求項１】
先幕と後幕とを有するフォーカルプレンシャッタ装置の制御方法であって、
前記先幕と前記後幕の走行状態を測定する測定工程と、
前記測定工程における前記測定の結果が正常であるかどうかを判断する判断工程と、
前記判断工程で正常と判断されず、且つ、前記先幕の走行を開始してから前記後幕の走行を開始するまでのシャッタ秒時が予め設定されたシャッタ秒時よりも高速である場合に、前記シャッタ秒時をより低速なシャッタ秒時に変更して、前記測定工程を繰り返す再測定工程と
を有することを特徴とする制御方法。
【請求項２】
前記測定工程では、前記走行状態として前記先幕と前記後幕により形成される開口の開口時間を測定し、
前記判断工程では、前記測定工程で測定した前記開口時間と、予め測定された測定誤差と、前記シャッタ秒時とに基づいて、前記測定の結果が正常であるかどうかを判断することを特徴とする請求項１に記載の制御方法。
【請求項３】
前記判断工程で正常と判断された場合に、前記測定の結果に基づいて、前記シャッタ秒時を補正する為の補正値を設定する補正値設定工程を更に有することを特徴とする請求項１または２に記載の制御方法。
【請求項４】
前記判断工程で正常と判断されなかった場合に、前記再測定工程に先だって、ユーザに通知する通知工程を更に有することを特徴とする請求項１乃至３のいずれか１項に記載の制御方法。
【請求項５】
先幕と後幕とを有するフォーカルプレンシャッタ装置であって、
前記先幕と前記後幕の走行状態を測定する測定手段と、
前記測定手段による前記測定の結果が正常であるかどうかを判断し、正常ではなく、且つ、前記先幕の走行を開始してから前記後幕の走行を開始するまでのシャッタ秒時が予め設定されたシャッタ秒時よりも高速である場合に、前記シャッタ秒時をより低速なシャッタ秒時に変更して前記先幕及び前記後幕を再駆動し、前記測定手段による測定を繰り返すように制御する制御手段と
を有することを特徴とするフォーカルプレンシャッタ装置。
【請求項６】
前記測定手段は、前記走行状態として前記先幕と前記後幕により形成される開口の開口時間を測定し、
前記制御手段は、前記測定手段により測定された前記開口時間と、予め測定された前記測定手段の測定誤差と、前記シャッタ秒時とに基づいて、前記測定の結果が正常であるかどうかを判断することを特徴とする請求項５に記載のフォーカルプレンシャッタ装置。
【請求項７】
前記制御手段は、更に、前記測定手段による測定結果が正常と判断した場合に、当該測定結果に基づいて、前記シャッタ秒時を補正する為の補正値を設定することを特徴とする請求項５または６に記載のフォーカルプレンシャッタ装置。
【請求項８】
前記制御手段により前記測定手段による測定結果を正常と判断しなかった場合に、該判断結果をユーザに通知する通知手段を更に有することを特徴とする請求項５乃至７のいずれか１項に記載のフォーカルプレンシャッタ装置。
【請求項９】
請求項５乃至請求項８のいずれか１項に記載のフォーカルプレンシャッタ装置を備えることを特徴とするカメラ。
【発明の詳細な説明】
【技術分野】
【０００１】
本発明はフォーカルプレンシャッタ装置及びその制御方法、及びカメラに関し、更に詳しくは、シャッタ羽根の走行状態を測定する装置を備えたフォーカルプレンシャッタ装置及びその制御方法、及びカメラに関する。
【背景技術】
【０００２】
従来より、一般的な一眼レフカメラで使用されるシャッタでは、先羽根と後羽根の２組の遮光羽根からなるフォーカルプレンシャッタがよく使用されている。このフォーカルプレンシャッタは、露光前には先羽根でアパーチャ開口を覆っており、撮影開始動作でまず先羽根がアパーチャ開口から退避して撮像面への露光が開始され、所定時間経過後、後幕がアパーチャ開口を覆うように作動する。また、このフォーカルプレンシャッタで高速秒時制御を行う場合は、先羽根と後羽根のスリット形成部によって形成されるスリット開口のスリット幅を狭くすることによって、高速秒時制御を達成している。
【０００３】
また、フォーカルプレンシャッタの先羽根と後羽根のスリット形成部によって形成されるスリット開口のスリット幅による開口時間を、発光ダイオードとフォトトランジスタを利用して検出する検出装置が知られている。このような検出装置を用いて、シャッタ精度が規定の範囲内かどうかを検出することができるフォーカルプレンシャッタ装置が知られている（例えば、特許文献１参照）。
【０００４】
ここで図４〜図９を参照して、従来のフォーカルプレンシャッタの構成について説明する。
【０００５】
図４はシャッタのチャージ完状態を示す正面図で、１はシャッタ地板、中央部の１ａがアパーチャである。２１はシャッタ地板１の軸１ｃに回転可能に取り付けられ、不図示のトーションバネによって図４の時計回り方向に回転付勢された先駆動レバーで、先駆動レバー２１の図右端には羽根駆動ピン２１ａを有し、後述する先メイン羽根アームと結合している。また先駆動レバー２１の図右上部には先幕アマチャー２２が取り付けられており、図４に示すチャージ完状態では、不図示の地板に固設された先幕電磁石２３の吸着面に当接している。
【０００６】
２４はシャッタ地板１の軸１ｄに回転可能に取り付けられ、不図示のトーションバネによって図４の時計方向に回転付勢された後駆動レバーで、後駆動レバー２４の図上端には羽根駆動ピン２４ａを有し、後述する後メイン羽根アームと結合している。また後駆動レバー２４の図右上部には後幕アマチャー２５が取り付けられており、図４に示すチャージ完状態では、不図示の地板に固設された後幕電磁石２６の吸着面に当接している。
【０００７】
２７はチャージレバーでシャッタ地板１の軸１ｅに回転可能に取り付けられる。図４に示すチャージ完状態では、そのカム面２７ａ、２７ｂが先駆動レバー２１のチャージピン２１ｂ、後駆動レバー２４のチャージピン２４ｂを介して、先駆動レバー２１と後駆動レバー２４を図４に示す状態に保持している。
【０００８】
図５はシャッタ羽根のチャージ完状態を示す正面図で、２はシャッタ地板１に取り付けられた軸３に回転可能に取り付けられた先メイン羽根アーム、４はシャッタ地板１に取り付けられた軸５に回転可能に取り付けられた先サブ羽根アームである。
【０００９】
６はシャッタの先羽根で、１番羽根６ａ、２番羽根６ｂ、３番羽根６ｃ、４番羽根６ｄの４枚で構成されている。各羽根は、それぞれ先メイン羽根アーム２、先サブ羽根アーム４に軸によって回転可能に取り付けられ、リンク機構を構成する。これにより、先メイン羽根アーム２が前述の先駆動レバー２１で図右回転させられると、先羽根６がたたまれながらシャッタ地板１のアパーチャ１ａを開くように構成されている。
【００１０】
７は後羽根で、先羽根６と同様の構成となっている。後メイン羽根アーム８と後サブ羽根アーム９と軸結合してリンク機構を構成し、後メイン羽根アーム８が前述の後駆動レバー２４で図右回転させられると、後羽根７はたたまれた状態から開きながら、シャッタ地板１のアパーチャ１ａを閉じる。
【００１１】
１０はＰＲ素子で、内部に発光ダイオード（ＬＥＤ）とフォトトランジスタ（以下「ＰＴＲ」と略す。）を有する。図６の背面斜視図に示すように、シャッタ作動時には発光ダイオードが発光し、シャッタ地板の穴１ｂを介してミラー１１からの反射によりシャッタ羽根の開口を計測するように構成されている。
【００１２】
図７は上記構成を有するフォーカルプレンシャッタを搭載したカメラの電気的な構成を示すブロック図である。図７において、１０１はカメラ全体の制御を司るＣＰＵ、１０２はカメラ機能データ等を記憶するＥＥＰＲＯＭ、１０３はカメラ本体を起動させるメインスイッチである。１０４は不図示のレリーズ釦が第１ストローク位置まで押下された際にＯＮし、測光、焦点検出動作等を開始する第１スイッチ、１０５はレリーズ釦が第２ストローク位置まで押下された際にＯＮし、露光のためのレリーズ動作を起動する第２スイッチである。
【００１３】
１０６は測光センサ、１０７は公知のＣＣＤラインセンサを用いた焦点調節センサである。１０８はカメラにエラーが発生しカメラの作動が停止した時に、エラーの解除を行うエラー解除スイッチ、１０９はカメラの情報を表示するＬＣＤ１１０を駆動する外部表示駆動回路である。１１１はレンズ制御回路で、一眼レフカメラの交換可能な撮影レンズ１１２の駆動制御を行う。
【００１４】
１１３はシャッタ制御回路であり、シャッタの先羽根、後羽根の作動を制御する、前述の先幕電磁石２３と後幕電磁石２６とが接続されている。ＰＲ素子１０は、ＬＥＤ１０ａとＰＴＲ１０ｂを備え、ＣＰＵ１０１によってＬＥＤ１０ａの発光を制御し、ＬＥＤ１０ａの発光光がミラー１１で反射されてＰＴＲ１０ｂで受光する構成となっている。これにより、ＰＲ素子１０とミラー１１の間を通過するシャッタ羽根の作動を検知する。
【００１５】
１１４はモータであり、モータ制御回路１１５からの制御信号に基づいてミラーチャージ機構１１６、シャッタチャージ機構１１７を駆動し、撮影時のミラー駆動、シャッタチャージレバー２７の駆動制御を行う。
【００１６】
上記構成を有するカメラの撮影動作中における、主にシャッタの動作について、図８のフローチャートを用いて説明する。この撮影動作は、第２スイッチ１０５がＯＮされることにより開始される。
【００１７】
先ず、シャッタの先幕電磁石２３と後幕電磁石２６に通電を行う（ステップＳ１１）。ミラーがモーター１１４の作動で退避状態となるとともに、シャッタチャージレバー２７がモータ１１４の作動によって時計方向に回転し、先駆動レバー２１と後駆動レバー２４を図４に示す位置に移動させる（ステップＳ１２）。そして、チャージレバー２７が図４の状態から反時計方向に回転して先駆動レバー２１と後駆動レバー２４とを不図示の駆動レバーバネの付勢力によって図４の時計方向に回転可能にする。この時、先幕電磁石２３と後幕電磁石２６は通電状態であるため、先幕アマチャー２２と後幕アマチャー２５は吸着保持され、先駆動レバー２１と後駆動レバー２４は図４に示す状態に保持される。
【００１８】
この状態で先幕電磁石２３への通電を停止すると（ステップＳ１３）、先駆動レバー２１は不図示の駆動バネの付勢力により図４の時計方向に回転し、図５の先メイン羽根アーム２も回転することにより、先羽根６の走行が開始する（ステップＳ１４）。これにより、アパーチャ１ａが開き始める。
【００１９】
次に、設定したシャッタ秒時の経過を判断し（ステップＳ１５）、経過すると、後幕電磁石２６への通電を停止する（ステップＳ１６）。これにより、後駆動レバー２４は不図示の駆動バネの付勢力により図４の時計方向に回転し、図５の後メイン羽根アーム８も回転することにより、後羽根７の走行が開始される（ステップＳ１７）。後羽根７の走行が終了すると、シャッタをチャージして図４の状態に戻して、処理終了となる。
【００２０】
このように、シャッタの作動制御は、先幕電磁石２３と後幕電磁石２６の通電を断つタイミングを制御することにより行われる。
【００２１】
このシャッタ動作中、ＰＲ素子１０のＬＥＤ１０ａが発光し、シャッタ地板の穴１ｂを介してミラー１１からの反射光をＰＴＲ１０ｂが受光することによりシャッタ羽根の開口を計測するように構成されている。
【００２２】
【特許文献１】特許第３３８７１３８号
【発明の開示】
【発明が解決しようとする課題】
【００２３】
近年、シャッタが高速化し、先羽根と後羽根のスリット形成部によって形成されるスリット開口のスリット幅が狭くなってきた。そのため、発光ダイオードとフォトトランジスタとを利用した検出装置でシャッタの開口時間を検出する際、実際のスリット開口時間と、検出装置により検出されるスリット開口時間とに差が発生するという問題があった。
【００２４】
図９はシャッタ作動時のＰＲ素子１０からのＰＲ出力電圧、及び、得られたＰＲ出力電圧に基づいて検出されたスリット開口時間の一例を示す図で、横軸は時間を表す。シャッタのアパーチャ１ａが全開する秒時の際は、３１に示す波形が得られる。そして、予め設定された電圧判定レベル３２よりも高い電圧が得られている間を「シャッター開」時間とすることで、スリット開口時間の測定結果を得る。
【００２５】
図１０は、図４に示す構成を有するシャッタにおける、シャッタの最高速秒時（例えば１／８０００秒時）での作動途中の状態を示す背面斜視図で、分かり易いようにシャッタ地板１を除いた状態で示している。上述したように、フォーカルプレンシャッタは一般に高速秒時は先羽根６と後羽根７とによって形成されるスリットＳの幅を制御することにより達成する。図１０に示すようにスリットＳの幅が狭くなると、先幕が完全にＰＲの前を通過し終わる前に後幕が来てしまう為、図９の波形３３に示すように、ＰＲ出力電圧は、完全にアパーチャ１ａが開いた時の電圧にならない。そのため、最高速秒時に得られる電圧よりも低い電圧を判定レベル３２として設定しておくことで、スリット開口時間を測定できるようにしておく。しかしながら、経時に伴い耐久性等の理由によりシャッタ精度が落ち、スリットＳの幅がさらに狭くなると、シャッタ開口時間が測定できない状況が発生する。これは図９の波形３４に示すように、ＰＲ素子１０の出力電圧が電圧判定レベル３２に達しないためで、このような状況で、シャッタの精度補正や幕閉じ検知を行おうとすると、正確な補正や幕閉じ検知ができないと言う問題があった。
【課題を解決するための手段】
【００２６】
上記問題を解決するために、先幕と後幕とを有するフォーカルプレンシャッタ装置の本発明の制御方法は、前記先幕と前記後幕の走行状態を測定する測定工程と、前記測定工程における前記測定の結果が正常であるかどうかを判断する判断工程と、前記判断工程で正常と判断されず、且つ、前記先幕の走行を開始してから前記後幕の走行を開始するまでのシャッタ秒時が予め設定されたシャッタ秒時よりも高速である場合に、前記シャッタ秒時をより低速なシャッタ秒時に変更して、前記測定工程を繰り返す再測定工程とを有する。
【００２７】
また、先幕と後幕とを有する本発明のフォーカルプレンシャッタ装置は、前記先幕と前記後幕の走行状態を測定する測定手段と、前記測定手段による前記測定の結果が正常であるかどうかを判断し、正常ではなく、且つ、前記先幕の走行を開始してから前記後幕の走行を開始するまでのシャッタ秒時が予め設定されたシャッタ秒時よりも高速である場合に、前記シャッタ秒時をより低速なシャッタ秒時に変更して前記先幕及び前記後幕を再駆動し、前記測定手段による測定を繰り返すように制御する制御手段とを有する。
【発明の効果】
【００２８】
本発明によれば、フォーカルプレンシャッタにおいて、シャッタ精度が低下した場合にも、より正確にシャッタ精度を測定することが可能となる。
【発明を実施するための最良の形態】
【００２９】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００３０】
＜第１の実施形態＞
先ず、本発明の第１の実施形態について説明する。本第１の実施形態におけるフォーカルプレンシャッタ及びカメラの構成、及びフォーカルプレンシャッタの先幕及び後幕の駆動の仕方は、図４から図１０を参照して上述したものと同様であるため、ここでは説明を省略する。
【００３１】
ここで、フォーカルプレンシャッタのシャッタ精度の判断の仕方について説明する。工場におけるシャッタの組立初期時に、シャッタの精度調整を行った後、最高速秒時Ｔ（例えば１／８０００秒）でシャッタを駆動し、この時に得られるＰＲ素子１０の出力から、例えば図９を参照して説明した方法で、スリット開口時間Ｔ１を計測する。シャッタ秒時Ｔ（１／８０００秒であれば０．１２２ｍｓｅｃ）と、測定されたスリット開口時間Ｔ１の差が、ＰＲ素子１０による測定誤差Ｔｘであるので、
Ｔｘ＝Ｔ１−Ｔ
【００３２】
である。このようにして求めたＰＲ素子１０による測定誤差Ｔｘの値を記憶しておく。この測定誤差Ｔｘは、シャッタ秒時に関わらずほぼ一定であるため、シャッタ秒時を変えた場合でも、シャッタの駆動特性が変化していなければ、Ｔ１＝Ｔ+Ｔｘが成り立つことになる。このスリット開口時間Ｔ１の秒時を撮影時に毎回計測し、その撮影時の測定結果をＴ１、その時のシャッタ秒時をＴとして、
ΔＴ＝Ｔ１−（Ｔ＋Ｔｘ）      …（１）
の計算を行う。シャッタ精度に変化が無ければ、ΔＴは０である。
本発明の第１の実施形態では、このΔＴを利用して、フォーカルプレンシャッタのシャッタ精度を判断し、判断結果に応じてフォーカルプレンシャッタの駆動タイミングを制御する。以下、この制御方法について、図１及び図２のフローチャートを参照して説明する。
【００３３】
なお、本第１の実施形態では、駆動タイミングの制御として、後述する耐久補正を行うものとし、シャッタ秒時が１／８０００秒で±０．３ＥＶを超えた場合に補正を行うものとする。従って、この場合、ΔＴが＋０．０２８ｍｓｅｃ（１／８０００秒で＋０．３ＥＶ相当秒時）を超えた場合と、ΔＴが−０．０２３ｍｓｅｃ（１／８０００秒で−０．３ＥＶ相当秒時）以下になった場合にシャッタの駆動タイミングを変更する。
【００３４】
図１に示すシャッタの駆動制御は、図８に示す撮影動作に伴って行われ、第２スイッチ１０５がＯＮされることにより開始される。
【００３５】
先ず、ＰＲ素子１０のＬＥＤ１０ａが点灯し（ステップＳ２１）、シャッタ羽根の作動の検出を開始する。次のステップＳ２２で、撮影で用いるシャッタ秒時が予め設定されたシャッタ秒時よりも高速かどうかを判断する。本第１の実施形態では一例として、１／４０００秒よりも高速であるかどうかを判定する。
【００３６】
撮影用に設定されたシャッタ秒時が１／４０００秒か、より遅い秒時の場合、先ず、ＰＲ素子１０からのＰＲ出力電圧が予め決められた閾値（例えば、図９の電圧判定レベル３２）を超えた時を示す信号である、先幕信号を検知する。もし、先幕電磁石通電停止（図８のステップＳ１３）から所定時間以内（ステップＳ２４でＮＯの間）に先幕信号が検知されなかった場合（ステップＳ２３でＮＯ）、幕閉じもしくは先幕走行不良と判断して、幕閉じエラーとする（ステップＳ２５）。そして、カメラの作動を停止する。
【００３７】
所定時間内に先幕信号を検知した場合は（ステップＳ２３でＹＥＳ）、ステップＳ２６に進んで、スリット開口時間Ｔ１の測定を開始する。次に、ＰＲ素子１０からのＰＲ出力電圧が予め決められた閾値（電圧判定レベル３２）以下になった時を示す信号である後幕信号を検知する。もし、後幕電磁石通電停止（図８のステップＳ１６）から所定時間以内（ステップＳ２８でＮＯの間）に後幕信号が検知されなかった場合（ステップＳ２７でＮＯ）、後幕走行不良と判断して後幕走行エラーとし（ステップＳ２９）、カメラの作動を停止する。
【００３８】
所定時間内に後幕信号を検知した場合はステップＳ３０に進んでスリット開口時間Ｔ１の計測を終了し、記憶する。
【００３９】
次に、上述したΔＴ＝Ｔ１−（Ｔ＋Ｔｘ）の式を用いてΔＴを計算する（ステップＳ３１）。
【００４０】
算出したΔＴがΔＴ＜−０．０２３ｍｓｅｃではなく（ステップＳ３２でＮＯ）、更にΔＴ＞０．０２８ｍｓｅｃでもない場合（ステップＳ３３でＮＯ）は、シャッタ精度に変化がないものと判断し、処理を終了して待機状態となる。
【００４１】
一方、ΔＴ＞０．０２８ｍｓｅｃの場合（ステップＳ３３でＹＥＳ）、シャッタ精度が１／８０００秒で０．３ＥＶ以上オーバーであると判断する。そして、撮影用に設定されたシャッタ秒時が全ての秒時で０．０１ｍｓｅｃ短くなるように設定する（ステップＳ３４）。このオーバー現象は、例えば、先幕電磁石２３と先幕アマチャー２２との吸着面に異物が挟み込まれてしまうこと等により、先幕電磁石２３の通電が絶たれてから、先幕アマチャー２２が離反するまでの時間が短くなった場合などに発生する。このようにシャッタ精度の変化を補償するための補正を耐久補正と言う。ステップＳ３４の後は処理を終了し、待機状態となる。
【００４２】
また、ステップＳ３２において、算出したΔＴがΔＴ＜−０．０２３ｍｓｅｃの場合、シャッタ精度が１／８０００秒で−０．３ＥＶ以上アンダーであると判断する。この場合、ステップＳ３５に進み、後述する高速秒時再測定フラグをチェックする。高速秒時再測定フラグは初期値が０なので、その場合にはステップＳ３６に進んで、撮影用に設定されたシャッタ秒時が、全ての秒時で＋０．０１ｍｓｅｃ長くするように設定する（耐久補正）。このアンダー現象は、後幕電磁石２６と後駆動レバー２４の後幕アマチャー２５の吸着面に異物が挟み込まれてしまうこと等により、後幕電磁石２６の通電が断たれてから、後幕アマチャー２５が離反するまでの時間が短くなった場合などに、発生する。ステップＳ３６の後は処理を終了し、待機状態となる。
【００４３】
また、ステップＳ２２において、撮影で用いるシャッタ秒時が１／４０００秒よりも高速であると判断されると、図２のステップＳ４１の処理に移行する。
【００４４】
ステップＳ４１では、上述したステップＳ２３と同様に、先幕信号を待つ。そして、先幕電磁石通電停止（図８のステップＳ１３）から所定時間以内（ステップＳ４２でＮＯの間）に先幕信号が検知されなかった場合（ステップＳ４１でＮＯ）、何らかの異常と判断し、ステップＳ５１に進んで高速秒時再測定フラグを１に設定する。なお、高速秒時再測定フラグについては、詳細に後述する。
【００４５】
所定時間内に先幕信号を検知した場合は（ステップＳ４１でＹＥＳ）、ステップＳ４３に進んで、スリット開口時間Ｔ１の測定を開始する。次に、上述したステップＳ２７と同様に、後幕信号を待つ。そして、後幕電磁石通電停止（図８のステップＳ１６）から所定時間以内（ステップＳ４５でＮＯの間）に後幕信号が検知されなかった場合（ステップＳ４４でＮＯ）、何らかの異常と判断し、ステップＳ５１に進んで高速秒時再測定フラグを１に設定する。
【００４６】
所定時間内に後幕信号を検知した場合はステップＳ４７へ進んで、スリット開口時間Ｔ１の計測を終了し、記憶する。
【００４７】
次に、上述したΔＴ＝Ｔ１−（Ｔ＋Ｔｘ）の式を用いてΔＴを計算する（ステップＳ４７）。
【００４８】
算出したΔＴがΔＴ＞０．０２８ｍｓｅｃではなく（ステップＳ４８でＮＯ）、更にΔＴ＜−０．０２３ｍｓｅｃでもない場合（ステップＳ５０でＮＯ）は、シャッタ精度に変化がないものと判断し、処理を終了して待機状態となる。
【００４９】
一方、ΔＴ＞０．０２８ｍｓｅｃの場合は（ステップＳ４８でＹＥＳ）、設定されたシャッタ秒時よりもシャッタのスリット幅が広くなっているので、正常にスリット幅の測定ができていると判断する。そして、撮影用に設定されたシャッタ秒時が全ての秒時で０．０１ｍｓｅｃ短くなるように設定し（ステップＳ４９）、処理を終了して待機状態となる。
【００５０】
また、ΔＴ＜−０．０２３ｍｓｅｃだった場合は（ステップＳ５０でＹＥＳ）、設定されたシャッタ秒時よりもシャッタのスリット幅が狭くなってきており、正常な測定ができていない可能性があると判断し、ステップＳ５１に進む。ステップＳ５１で再測定モードに入るが、ステップＳ５１で再測定モードであることを記憶するために高速秒時再測定フラグを１にして記憶する。次に、ステップＳ５２でシャッタのチャージを行い、ステップＳ５３でシャッタのスリット幅として測定可能なスリット幅を確保するために、シャッタ秒時を遅い秒時に設定する。ここでは１／２０００秒に設定して、図１のステップＳ２１に戻る。
【００５１】
この後、１／２０００秒をシャッタ秒時として、上述した処理を繰り返す。ただし、この１／２０００秒でのシャッタ駆動は、シャッタ精度を判断するために行う為のものであるので、このシャッタ駆動により画像信号が得られたとしても、記録する必要はない。また、図８のステップＳ１２でアップしたミラーをダウンして、カメラの不図示の撮像部（固体撮像素子やフィルム）を遮光した状態にしても良い。
【００５２】
そして、先幕信号及び後幕信号を共に検知し、ステップＳ３２においてΔＴ＜−０．０２３ｍｓｅｃと判断されると、ステップＳ３５に進む。この場合、ステップＳ５１で高速秒時再測定フラグが１に設定されているので、ステップＳ３５でＹＥＳとなり、ステップＳ３７に進み、耐久補正を行う。このとき、高速秒時で撮影を続ける場合、耐久補正を＋０．０１ｍｓｅｃだけ行うと、再度撮影した時にまたこの再測定動作に入ってしまう場合がある。そのため、ここでは、撮影用に設定されたシャッタ秒時が全ての秒時で測定結果のΔＴｍｓｅｃ長くなるように一気に耐久補正を行う。そしてステップＳ３８に進み、高速秒時再測定フラグを０に戻してから処理を終了し、待機状態となる。
【００５３】
上記の通り本第１の実施形態によれば、高速秒時でシャッタを駆動した時のスリット開口時間の測定結果が正常ではないと判断した場合に、より低速でシャッタを駆動して測定し直すため、より的確にシャッタ精度を判断することが可能となる。
【００５４】
なお、上記第１の実施形態では、ステップＳ２２においてシャッタ秒時が１／４０００秒より高速か否かに応じて異なる制御を行う場合について説明したが、本発明は１／４０００秒に限られるものではない。フォーカルプレンシャッタやＰＲ素子１０の性能に応じて、適宜変更すればよい。
【００５５】
また、ステップＳ３２、Ｓ３３、Ｓ４８、Ｓ５０で判断に用いる閾値も−０．０２３及び０．０２８に限られるものではなく、フォーカルプレンシャッタ及びＰＲ素子１０の性能や補正の目的に応じて、適宜変更しても良い。
【００５６】
更に、上記第１の実施形態では、シャッタ秒時が高速秒時であって、ΔＴ＜−０．０２３ｍｓｅｃの場合に、シャッタ秒時を１／２０００秒に落としてシャッタ精度の判定を繰り返す場合について説明した。しかしながら、変更するシャッタ秒時は１／２０００秒に限るものではなく、フォーカルプレンシャッタ及びＰＲ素子１０の性能や補正の目的に応じて、適宜変更しても良いことは言うまでもない。
【００５７】
また、上記説明ではΔＴを算出し、算出したΔＴが所定範囲にあるかどうかを判断する場合について説明したが、判断の仕方はこれに限るものではない。例えば、（Ｔ１−Ｔ）を（０．０２８−Ｔｘ）及び（−０．０２３−Ｔｘ）と比較する、といったように、測定したスリット開口時間Ｔ１、シャッタ秒時Ｔ、測定誤差Ｔｘ、判断条件を組み合わせることで、様々な方法で判断を行うことができる。
【００５８】
また、ステップＳ３４、Ｓ３６、Ｓ４９において、補正値として±０．０１ｓｅｃを設定するものとしたが、これに限るものではなく、フォーカルプレンシャッタ及びＰＲ素子１０の性能や補正の目的に応じて、適宜変更しても良い。
【００５９】
また、再測定モード時、１回のシャッタ駆動で補正値を決定するものとして説明したが、例えば複数回シャッタ駆動を行って複数のΔＴを取得し、取得したΔＴの平均値を耐久補正の補正量として決定するようにしても良い。
【００６０】
＜第２の実施形態＞
次に、本発明の第２の実施形態について図３を参照して説明する。
【００６１】
上記第１の実施形態では、高速撮影（１／４０００秒より高速）で、且つ、ΔＴ＜−０．０２３ｍｓｅｃの場合、シャッタ秒時を１／２０００秒に設定後、すぐに再測定モードに入ってシャッタを作動させた。これに対し、第２の実施形態では、エラー表示を行って撮影者（ユーザ）に異常を知らせた後、再測定モードを実行する。以下、第１の実施形態と異なる点について説明する。
【００６２】
図３は本第２の実施形態において、上記第１の実施形態の図２の代わりに実行される処理を示すフローチャートである。なお、図３において、ステップＳ４１からステップＳ５３までの処理は、図２を参照して説明した処理と同様であるので、説明を省略する。
【００６３】
ステップＳ５３でシャッタのスリット開口時間を測定可能なスリット幅を確保するために、シャッタ秒時を１／２０００秒に設定すると、ステップＳ６０において、図７の外部表示装置であるＬＣＤ１１０にエラーの表示を行う。そして、次のステップＳ６１において、図７のエラー解除スイッチ１０８が撮影者によりＯＮされるのを待ち、エラー解除スイッチ１０８がＯＮされると、図１のステップＳ２１に戻って、シャッタ秒時１／２０００秒で上述した処理を実行する。
【００６４】
このように、本第２の実施形態によれば、エラー表示を行うことにより、撮影者は異常を認識することができる。また、エラー解除スイッチ１０８がＯＮされることで、カメラは撮影者がエラーを認識したと判断することができる。
【図面の簡単な説明】
【００６５】
【図１】本発明の第１の実施形態におけるシャッタ秒時の補正制御を示すフローチャートである。
【図２】本発明の第１の実施形態におけるシャッタ秒時の補正制御を示すフローチャートである。
【図３】本発明の第２の実施形態におけるシャッタ秒時の補正制御を示すフローチャートである。
【図４】シャッタの駆動部を示す正面図である。
【図５】シャッタ羽根の構成を示す正面図である。
【図６】シャッタの構成を示す背面斜視図である。
【図７】カメラの電気的な概略構成を示すブロック図である。
【図８】シャッタの駆動制御を説明するフローチャートである。
【図９】ＰＲ出力電圧の変化と、スリット開口時間を示す図である。
【図１０】シャッタの作動途中の状態のシャッタ羽根を示す背面斜視図である。
【符号の説明】
【００６６】
１  シャッタ地板
２  先メイン羽根アーム
４  先サブ羽根アーム
６  先羽根
７  後羽根
８  後メイン羽根アーム
９  後サブ羽根アーム
１０  ＰＲ素子
２１  先駆動レバー
２２  先幕アマチャー
２３  先幕電磁石
２４  後駆動レバー
２５  後幕アマチャー
２６  後幕電磁石
【図１】
2008170473.tif 000003
【図２】
2008170473.tif 000004
【図３】
2008170473.tif 000005
【図４】
2008170473.tif 000006
【図５】
2008170473.tif 000007
【図６】
2008170473.tif 000008
【図７】
2008170473.tif 000009
【図８】
2008170473.tif 000010
【図９】
2008170473.tif 000011
【図１０】
2008170473.tif 000012